(57)【要約】【課題】アダプターの損傷事故がなくしかもアダプターの修理交換も容易な交流電源式ガス燃焼式打ち込み工具を提供する。【手段】工具はヘッド部４から下向きに延びるフロントハウジング２６を備えており、このフロントハウジング２６にアダプター３０の格納部が形成されている。格納部３７は下向きに開口しており、アダプター３０は、係合爪４４が係合穴４０に嵌まり込むことで格納部３７に脱落不能に保持される。アダプター３０はフロントハウジング２６に内蔵されているため物が当たって損傷することは皆無である。また、アダプター３０の修理・交換も簡単に行える。【選択図】図４
2008200828.tif 000002
【特許請求の範囲】
【請求項１】
ファスナー打ち込み用ロッドを設けたピストンと、前記ピストンを摺動自在に嵌挿したシリンダと、人が手で握り得るグリップと、前記ロッドの前後動をガイドするヘッド部と、後退状態のロッドの前方にファスナーを１本ずつ繰り出すマガジンと、前記シリンダを覆うと共に前記グリップとヘッド部とマガジンとを除いた部分の外観を構成するハウジングと、が備えられており、
前記ピストンはボンベに充填されたガスの燃焼圧で駆動されるようになっており、このため、電気部品として少なくとも点火プラグを備えていると共に、前記電気部品に直流電源を供給する電源部が備えられている、
というガス燃焼式打ち込み工具であって、
前記電源部は、外部の交流電源を降圧・整流するコード付きアダプターであって、このアダプターが、その大部分又は全部が隠された状態で前記ハウジング又はマガジン若しくはグリップに内蔵されている、
ガス燃焼式打ち込み工具。
【請求項２】
前記ハウジング又はマガジン若しくはグリップのいずれかに、前記アダプターを抜き差し自在に装着できる格納部を設けている、
請求項１に記載したガス燃焼式打ち込み工具。
【請求項３】
前記格納部には、前記アダプターと全く又は殆ど同じ形態のバッテリーを装着できるようになっている、
請求項２に記載したガス燃焼式打ち込み工具。
【発明の詳細な説明】
【技術分野】
【０００１】
本願発明は、動力源としてボンベ入りガスを使用しているガス燃焼式打ち込み工具に関するものである。
【背景技術】
【０００２】
釘打ち機やピン打ち機（鋲打ち機）のような可搬式（手持ち式）ファスナー打ち込み工具は、動力源からみるとエアー式（空圧式）と火薬式とガス式とに大別される。このうちガス式のものは、エアー式のものに比べて、コンプレッサーが不要であるため機動性に優れていると共に、ホースが不要であるため作業性も優れている利点がある。また、火薬式のものに比べると、管理に要する手間が格段に少なく、また、ファスナーは多数本を連結したものを使用できるため作業性に優れている利点がある。
【０００３】
他方、ガス燃焼式打ち込み工具の特徴として、ガスに着火する点火プラグや燃焼室の冷却用ファンのような電気部品を備えている点があり、このため、電源（例えば６Ｖの直流電源）が必要である。電源としては一般にバッテリーが使用されているが、本願出願人は、特許文献１において、外部の交流電源をコード付きアダプターで引き込むことを提案した。
【特許文献１】特開平８−２９０３７０号公報
【発明の開示】
【発明が解決しようとする課題】
【０００４】
特許文献１によると、バッテリーの消耗を気にすることなく継続的な打ち込み作業を行える利点があり、従って、例えば特開２００５−２８８６０７号公報に開示されているようにファスナーの送りをモータで行う場合にも好適であるといえる。
【０００５】
ところで、打ち込み工具は動力源の種類に関係なく先端のノーズ部をワークに押し当てないとファスナーの打ち出しが行えないように安全装置が設けられているが、我が国では、バッテリー式のガス燃焼式打ち込み工具は凶器として使用されることを防止するため安全装置は極めて厳格に規制されており、人がロックを解除するのが容易な安全装置であると所持許可を必要になっている。
【０００６】
このため、先端部（ヘッド部の部分）をカバーで覆う等して安全機能を高めることで規制をクリアーしているが、例えば溝状の部分や入り隅部のような狭い場所にファスナーを打ち込む場合は、カバーがあると作業しにくい場合がある。
【０００７】
そこで、特許文献１のようにコードによって外部電源を取り入れると、作業できる範囲がエアー式工具と同様の状態になることから銃刀法の規制対象外となって所持許可は不要となり、このため、ガス燃焼式打ち込み工具の汎用性を高めることができる利点もある。
【０００８】
本願発明は、外部電源を使用する点は特許文献１を踏襲しつつ、より改良されたガス燃焼式打ち込み工具を提供せんとするものである。
【課題を解決するための手段】
【０００９】
本願発明のガス燃焼式打ち込み工具は、基本的には従来と同様であり、ファスナー打ち込み用ロッドを設けたピストンと、前記ピストンを摺動自在に嵌挿したシリンダと、人が手で握り得るグリップと、前記ロッドの前後動をガイドするヘッド部と、後退状態のロッドの前方にファスナーを１本ずつ繰り出すマガジンと、前記シリンダを覆うと共に前記グリップとヘッド部とマガジンとを除いた部分の外観を構成するハウジングと、が備えられている。そして、前記ピストンはボンベに充填されたガスの燃焼圧で駆動されるようになっており、このため、電気部品として少なくとも点火プラグを備えていると共に、前記電気部品に直流電源を供給する電源部が備えられている。
【００１０】
そして、請求項１の発明では、特徴として、前記電源部は、外部の交流電源を降圧・整流するコード付きアダプターであって、このアダプターが、その大部分又は全部が隠された状態で前記ハウジング又はマガジン若しくはグリップに内蔵されている。
【００１１】
請求項２の発明は、請求項１の発明において、前記ハウジング又はマガジン若しくはグリップのいずれかに、前記アダプターを抜き差し自在に装着できる格納部を設けている。更に請求項３の発明は、請求項２において、前記格納部には、前記アダプターと全く又は殆ど同じ形態のバッテリーを装着できるようになっている。
【発明の効果】
【００１２】
特許文献１にはアダプターを例えばコンセントのような外部電源に接続することが開示されているが、アダプターはプラグに比べて大きいため、作業現場の状況によっては、人が足で誤って蹴ったり物が当たったりしてアダプターが破損することが懸念され、また、コードの先端に大きくて重たいアダプターが接続されているため、作業後にコードを処理しにくいという虞も有り得る。
【００１３】
これに対して本願発明ではアダプターは工具に内蔵されているため、人が足で蹴ったり物が当たったりすることによる破損事故は全く無く、また、コードの先端にはプラグが接続されているに過ぎないため作業後にコードを処理するに当たっての煩わしさもない。
【００１４】
請求項２のように構成すると、アダプターは着脱式であるため故障した場合の修理や交換をごく簡単に行える利点がある。また、アダプターを取り外して、例えばコードをアダプターにグルグル巻き付けて工具用ケースに収納するといったことや、コードの長さが異なるアダプターを複数種類用意しておいて現場の状況に応じて使い分けるといったことも可能になり、このため特に重宝である。
【００１５】
請求項３の構成を採用すると、１種類の工具をバッテリー仕様とアダプター仕様とに兼用できるため、全体としてコストダウンと省資源とに貢献できる。この場合、安全装置が銃刀法下の規制をクリアーしている場合と規制そのものがない場合（撤廃されている場合）は、用途によって自由にバッテリーとアダプターとを使い分けることができる。
【００１６】
他方、安全装置に規制が存在している場合は、バッテリー仕様については規制をクリアーした安全装置を設け、安全装置が規制をクリアーしていない場合はアダプター仕様の専用品として、アダプターの出力電圧をバッテリーの電圧よりも高くしてバッテリーを使用できなくする、といった措置を講じたら良い（アダプター仕様とバッテリー仕様とで電圧を変える場合は、点火プラグ等の電気部品の定格電圧を異ならせることにより、アダプター仕様とバッテリー仕様とでの互換性を無くすのが好ましい。）。
【発明を実施するための最良の形態】
【００１７】
次に、本願発明の実施形態を図面に基づいて説明する。本願実施形態は、建物の内装の仕上げ工程で内装部材の締結に使用するフィニッシュネイルの打ち込みに使用されるガス燃焼式打ち込み工具（以下、単に「工具」という）に適用している。なお、以下の実施形態では左右・前後の文言を使用するが、これは使用者が向いた方向を正面視として、これを基準にしている。また、上下の文言は、使用者が壁への締結作業を行う状態で工具を持った姿勢を基準にしている。
【００１８】
(1).全体の概要
まず、図１〜図３に基づいて全体の概要を説明する。図１のうち（Ａ）は工具の全体の左側面図、（Ｂ）は部分的な側面図、図２は駆動部の部分的な側断面図、図３は図１（Ａ）の前後姿勢を逆にした状態での III-III視断面図でありかつ図４（Ａ）の III-III視断面図である。
【００１９】
この図１に示すように、工具は、ピストン１が摺動自在に嵌挿されたシリンダ２と、シリンダ２を含む駆動部を覆うボデー３と、ボデー３の前端に設けたヘッド部４と、ボデー３の下面に一体に設けたグリップ５と、ヘッド部４から下向きに延びるように設けたマガジン６とを備えている。ピストン１には打ち込み用のロッド（ハンマーブレード）７を設けている。グリップ５の上部にはトリガー５ａを設けている。
【００２０】
ボデー３は請求項に記載したハウジングの一部を構成するものであり、全体としては角形でかつ前に行くに従って緩く窄まる形態になっており、ヘッド部４が取り付く最前部は平面視でかなり細幅になっている。ボデー３の前端寄りでかつ左右側面部には排気穴８が空いている。他方、ボデー３のうち後部でかつ下面部には、グリップ５よりもやや大きい横幅で後ろ向きに開口したガスボンベ収納室９が形成されており、このガスボンベ収納室９に燃料となるガス（例えばブタンガス系）が充填されたボンベが装填されるようになっている。
【００２１】
図２に示すように、シリンダ２の後方には燃焼室１０が形成されており、この燃焼室１０に冷却・攪拌機能を有するファン１１と点火プラグ１２とが後ろから臨んでいる。また、シリンダ２の後部はスリーブ１３で囲われており、スリーブ１３が後退すると燃焼室１０が密閉されて内部に燃料ガスが供給されるようになっている。従って、スリーブ１３は安全装置の一部を構成しており、シリンダ２とボデー３との間に配置した連動部材１４によって後退動するようになっている。図２に示す符号１５はピストン１の前進時の衝撃を吸収する緩衝材である。
【００２２】
ヘッド部４は、ボデー３に固定された下ガイド体１７と、下ガイド体１７の上面に重なった上ガイド体１８と、上下ガイド体１７，１８の前方に配置されたコンタクトノーズ１９とを備えている。コンタクトノーズ１９は、上下ガイド体１７，１８の合わせ面に前後スライド自在に配置された丸棒製のプローブ２０の前端に固定されている。
【００２３】
プローブ２０及びコンタクトノーズ１９は前記スリーブ１３や連動部材１４と共に安全装置の一部を構成するものであり、コンタクトノーズ１９をワークＷに押し当てるとプローブ２０が相対的に後退動し、すると、前記した連動部材１４を介してスリーブ１３がシリンダ２に対して相対的に後退動し、これによって安全装置はロック解除状態になる（トリガー５ａを引くとロッド７が前進する。）。プローブ２０は前進方向にばね（図示せず）で付勢されている。
【００２４】
また、上ガイド体１８はその後部を中心にして跳ね上げ回動し得る状態で下ガイド体１７に連結されており、クリップ体２１及びレバー２２により、下ガイド体１７に重なった状態とはね上げた状態（開いた状態）とに切り替えできるようになっている。更に、前記ロッド７は、上下ガイド体１７，１８の合わせ面に形成した打ち込み通路の内部を前後方向にスライドする。なお、ヘッド部４の具体的な構造の例は本願出願人の先願に係る特開２００６−３１５１１６号に開示されているので、必要なら参照されたい。
【００２５】
マガジン６は、横向き（作業者から見て左方向）に開口したガイド溝２３ａを有する本体２３と、本体２３に上下スライド自在に装着されたカバー２４とを備えている。本工具には、多数本の釘（フィニッシュネイル）ｎが並列状に並べた状態に連結された連結釘Ｎが使用されるが、連結釘Ｎは全体として板状の形態をなしていて本体２３のガイド溝２３ａに装填されている。
【００２６】
マガジン６を構成するカバー２４は、本体２３のガイド溝２３ａを全体的に塞ぐ長さ及び幅であり、連結釘Ｎはガイド溝２３ａの底面とカバー２４との間に形成された空間に上向き動可能に配置されている。そして、カバー２４には、連結釘Ｎを上向きに押す板状のプッシャー２５が上下動自在に配置されており、かつ、プッシャー２５は、カバー２４に形成した中空部２５に内蔵されている定格出力ばね（図示せず）によって上向きに押されている。
【００２７】
そして、プッシャー２５で押された連結釘Ｎは、ヘッド部４の下ガイド体１７に形成したガイド穴を介して前記打ち込み通路に向けて押されており、連結釘Ｎのうち先頭に位置した１本の釘ｎが打ち込み通路に露出しており、これがロッド７の前進動によって打ち出される。
【００２８】
マガジン６はボデー３の前端に連続した上下長手のフロントハウジング２６に装着されており、フロントハウジング２６の下端とグリップ５とは中空のジョイント部２７を介して一体に繋がっている。そして、ジョイント部２７の下端には、マガジン６におけるカバー２４をロック・ロック解除するためのレバー２８を設けている。なお、釘ｎは請求項に記載したファスナーの一例であるが、ファスナー（或いは連結ファスナー）の形態によってマガジン６の具体的な構造も違ってくる。なお、本実施形態ではジョイント部も請求項に記載したハウジングの一部を構成している。
【００２９】
(2).アダプターとその装着構造
次に、図３に加えて図４以下の図面も参照して電源用アダプターとその装着構造とを説明する。図４のうち（Ａ）はアダプター３０を分離した状態での工具の右側面図、（Ｂ）はアダプター３０を装着した状態での部分的な右側面図、図５はアダプター３０とフロントハウジング２６との分離斜視図、図６は図４（Ｂ）のVI−VI視断面図、図７のうち（Ａ）はアダプター３０の主要部材の大まかな配置図、（Ｂ）はアダプター３０の回路図である。
【００３０】
既述のとおり、前記ボデー３の前端にはフロントハウジング２６が一体に連続しており、ヘッド部４の右側部分の大部分はフロントハウジング２６の上部で覆われている。図４（Ａ）に示す符号３１は打ち込み深さ調節用のダイアルである。ダイアル３１を回転操作するとコンタクトノーズ１９の後退量が変化し、すると、ロッド７が最前進位置とコンタクトノーズ１９との相対位置が変化して釘ｎの打ち込み深さが変化する。
【００３１】
アダプター３０は断面小判形でかつ細長い形状であり、一つの平坦状外周面にその長手方向に延びる凸条３２が形成されている。また、基端にはコード３３が分離不能に接続されており、コード３３の先端にプラグ３４を設けている一方、両円弧面の先端部には電極３５を露出させている。電極３５は、円弧面を切欠いて形成した平坦面に設けている。いうまでもないが、電極３５はプラス極とマイナス極とからなっており、このためアダプター３０には極の表示部３６も設けている。
【００３２】
前記したフロントハウジング２６は作業者から見て右側に膨らんだ上下長手の格納部３７を有しており、この格納部３７にアダプター３０を下方から嵌め込み収納している。図３に示すように、格納部３７は下方及びマガジン６の側に向いて開口した袋状に形成されており、マガジン６の本体２３で片面を塞がれた状態になっている。従って、正確には、フロントハウジング２６とマガジン６とで格納部が形成されていると言える。
【００３３】
フロントハウジング２６の格納部３７には、アダプター３０の突条３２が嵌まる外向き凸の張り出し部３７ａが形成されている。このためアダプター３０の差し込み方向を間違うことはない。また、フロントハウジング２６の内部のうちその奥部の前後側面には、アダプター３０の電極３５が接触する端子３８が配置されている。この端子３８から制御部（図示せず）を介して電力が前記ファン１１と点火プラグ１２とに給電される。
【００３４】
格納部３７の外面板のうち開口部の近傍箇所には下向きに開口した切欠き３９が形成されており、格納部３７の張り出し部３７ａのうち切欠き３９に近い部分には角形の係合穴４０が空いている。他方、アダプター３０は樹脂製の外ケース４１を備えていて外ケース４１に突条３２を形成しているが、突条３２のうち基端寄り部位にコ字状のスリット４２を形成することにより、突条３２のうち基端部をコード３３と反対側に延びる片持ち梁状のアーム部４３と成し、このアーム部４３に、前記格納部３７の係合穴４０に嵌まり得る係合爪４４と人が指先で押し得るボタン部４５とを形成している。アーム部４３は外ケース４１の内部に向けて押し曲げできるようになっている。
【００３５】
係合爪４４はアーム部４３の先端側に位置しており、また、係合爪４４のうち格納部３７に差し込むに際して突条３２の端面に当たる部分は傾斜面４４ａに形成されている。従って、アダプター３０を格納部３７に差し込み切ると、アーム部４３が弾性変形してから戻ることで係合爪４４が係合穴４０に嵌まり切り、これによってアダプター３０は脱落不能に保持される。また、ボタン部４５を押すと係合爪４４が係合穴４０から外れるため、アダプター３０を格納部３７から抜き外すことができる。
【００３６】
アダプター３０のボタン部４５は、フロントハウジング２６の格納部３７の切欠き３９に嵌まり込んでいる。また、アダプター３０はその基端寄りの僅かの部分だけ格納部３７の外側に露出しており、このアダプター３０の露出部は、フロントハウジング２６のうち格納部３７の下方に形成した凹所２６ａに重なっている。これは、図３に示すように格納部３７の前後側壁がマガジン６の本体２３の底面に対して垂直姿勢になっていることから、アダプター３０は格納部３７に完全に収納し切ると抜き外しできなくなるためである。
【００３７】
図７に示すように、アダプター３０は、既述の電極３５の他に、ヒューズ４６、ラインフィルター４７、トランジスタ４８、フォトカプラ４９、トランス５０、コンデンサ５１などを備えている。
【００３８】
(3).まとめ
以上の構成において、工具にはコード３３を介して外部電源（建物のコンセントや携帯式発電機）から給電されるため、コンタクトノーズ１９やプローブ２０を人が引き操作できないような保護手段（カバー手段）を設けなくとも銃刀法の規制にはならず、このため、警察の許可を受けることなく使用できる（規制が廃止されたら当然ながら自由に使用できる。）。そして、アダプター３０はフロントハウジング２６の格納部３７に収納されているため、物が当たって損傷するような問題は全くない。
【００３９】
そして、人が打ち込み作業を行うにおいてフロントハウジング２６の格納部３７が人の身体に当たることは全くなく、また、フロントハウジング２６の格納部３７はヘッド部４の下方に位置しているため、作業者が作業を行うにおいて格納部３７の存在によって打ち込み場所を見にくくなることも皆無である。従って、アダプター３０を工具に内蔵したことで作業性が悪くなることは皆無である。
【００４０】
本実施形態では、アダプター３０はその係合爪４４が係合穴４０に嵌まることで脱落不能に保持されるため、格納部３７に蓋板を設ける必要はなく、このため工具の構造を簡単化できると共に、アダプター３０の着脱もワンタッチ的に行える。なお、アダプター３０をワンタッチ的に着脱するための係合手段としては実施形態のような係合爪４４と係合穴４０との組み合わせに限らず、他の様々な方法を採用できる。
【００４１】
本実施形態では、工具をバッテリー仕様に変更することも可能である。この場合は、アダプター３０と殆ど又は全く同じ形態のバッテリーを使用したら良い（或いは、アダプター３０をバッテリーと全く又は殆ど同じ外観形態にしたら良い。）。その場合、法律による規制が問題になる場合の対処方法は発明の効果の欄で述べたとおりである。
【００４２】
ところで、工具類にコードを接続している場合、作業に伴う工具の動きによってコードの付け根に曲げ力が作用し、このため長期間使用し続けているとコードがその付け根箇所で千切れ易くなる現象が発生することがある。
【００４３】
他方、本実施形態ではコード３３が格納部３７から垂れ下がった状態になっているが、この形態を採用すると、人が工具を動かしながら打ち込み作業を行うにおいて、コード３３は全体として大きく動くため、その付け根箇所に曲げ荷重が作用することは殆どなく、このため、長期にわたって使用し続けていても、コード３３がその付け根箇所て千切れ易くなることはない。また、本願発明ではコード３３は外部電源（例えば１００ボルト）を引き込むものであって例えば６ボルト用や１２ボルト用のコードに比べて断面積が遥かにに大きくなっており、この点においてもコード３３の千切れが抑止されていると言える。
【００４４】
(4).その他
本願発明は、上記の実施形態の他にも様々に具体化できる。例えば、格納部を設ける場所は工具の形態やアダプターの大きさに応じて選択できる。例えばグリップに設けたり、ボデーのうちグリップの付け根近傍に設けるといったことも可能である。実施形態のようにジョイント部が存在する場合は、このジョイント部にアダプターを格納することも可能である。コードをアダプターに抜き差し自在に接続することも可能である。
【図面の簡単な説明】
【００４５】
【図１】（Ａ）は実施形態に係る工具の全体の左側面図、（Ｂ）は部分的な側面図である。
【図２】駆動部の部分的な側断面図である。
【図３】図１（Ａ）及び図４（Ａ）の III-III視断面図である。
【図４】（Ａ）はアダプターを分離した状態での工具の右側面図、（Ｂ）はアダプターを装着した状態での部分的な右側面図である。
【図５】アダプターとフロントハウジングとの分離斜視図である。
【図６】図４（Ｂ）のIV−IV視断面図である。
【図７】（Ａ）はアダプターの主要部材の大まかな配置図、（Ｂ）はアダプターの回路図である。
【符号の説明】
【００４６】
１  ピストン
２  シリンダ
３  ハウジングの一部を構成するボデー
５  グリップ
５ａ  トリガー
６  マガジン
７  打ち込み用のロッド
９  ガスボンベ収納室
１０  燃焼室
１１  電気部品の一例としてのファン
１２  電気部品の一例としての点火プラグ
１３  安全装置の一部を構成するスリーブ
１９  安全装置の一部を構成するコンタクトノーズ
２６  ハウジングの一部であるフロントハウジング
３０  アダプター
３３  コード
３４  プラグ
３５  電極
３８  端子
３７  格納部
４０  係合手段の一部を構成する係合穴
４４  係合手段の一部を構成する係合爪
【図１】
2008200828.tif 000003
【図２】
2008200828.tif 000004
【図３】
2008200828.tif 000005
【図４】
2008200828.tif 000006
【図５】
2008200828.tif 000007
【図６】
2008200828.tif 000008
【図７】
2008200828.tif 000009